(57)【要約】デバイスはステータ（１４）と、キー（８）によって回されるロータ（９）とを有する。キー（８）はいくつかのブシュ（１０ｃ）を有している。これらのブシュは磁石（１０ｃ）を把持しており、磁石（１０ｂ1、１０ｂ2）を引き付けたり斥けたりする。磁石（１０ｂ1、１０ｂ2）は、相補的あるいは同じ極性を有し、ロータ（９）のハウジング（１７）の内側を移動するようにブシュ（１０ｂ）の内側に配置されている。その角度位置を維持するとともに並進運動のガイドを容易にするために、ブシュ（２０ｂ）は、対応するハウジング（１７）の溝（２３）の中に係合する回転ロック用部材（２２）を有している。組み合わせの数を増やすために、ロータ（９）のブシュ（１０ｂ）又はキー（８）は、反対の極性を有する二つの磁石（１０1、１０ｂ2）あるいは少なくとも一つの２極性先端が設けられた一つの磁石を収容している。それらの磁石は、ブシュ（１０ｂ、１０ｃ）の長手軸（ＢＢ’）のまわりにおける様々な角度位置を占めることができるようになっている。こうしたデバイスは、軸の相対的な動きの正確さと、可能な組み合わせの数の多さのために、開口部へのアクセスを防止するように設計された施錠デバイスの不可侵性を増強することが可能である。
2006514185.tif 000002
【特許請求の範囲】
【請求項１】
磁気制御式の施錠デバイス（１）であって、
ステータ（１４）及びロータ（９）が設けられたシリンダ（１２）を有し、前記ロータはキー（８）によってシリンダの長手軸（ＡＡ’）のまわりに回されるようになっており、キー（８）には強磁性材料から形成されたブシュ（２０ｃ）の中に把持された磁石（１０ｃ）が設けられており、磁石（１０ｃ）は強磁性材料から形成されるとともに前記シリンダ（１２）の少なくとも一部の中を摺動するように取り付けられたブシュ（２０ｂ、２０ｂ’）の中に同様に把持された他の磁石（１０ｂ、１０ｂ’）と協働して、前記ロータ（９）の回転を選択的にロックできるようになっており、前記キー（８）及び前記シリンダ（１２）によってそれぞれ保持されたこれらの磁石（１０ｃ、１０ｂ、１０ｂ’）は同じ幾何学的分布を有しており、
前記キー（８）及び前記シリンダ（１２）の中にそれぞれ配置された少なくとも二つのブシュ（２０ｃ、２０ｂ、２０ｂ’）の各々が、互いに反対の極性（Ｎ−Ｓ）を有する二つの磁石（１０ｃ1、１０ｃ2、１０ｂ1、１０ｂ2）あるいは少なくとも一つの２極性先端が設けられた一つの磁石（１０ｂ’）を把持して保持しているデバイス。
【請求項２】
ブシュ（２０ｂ、２０ｃ、２０ｂ’）の各々は、それが把持する二つの磁石（１０ｂ1、１０ｂ2、１０ｃ1、１０ｃ2）あるいは少なくとも一つの２極性先端が設けられた磁石（１０ｂ’）を、前記ブシュの長手軸（ＢＢ’）に対する所定の角度位置に維持するようになっている請求項１に記載の施錠デバイス。
【請求項３】
少なくとも一つの２極性先端が設けられた磁石（１０ｂ’）あるいは同じブシュ（２０ｂ、２０ｂ’、２０ｃ）の中に把持された二つの磁石（１０ｂ1、１０ｂ2、１０ｃ1、１０ｃ2）の角度位置の維持は、前記ブシュ（２０ｂ、２０ｂ’、２０ｃ）の外側の壁（２１、２１’）上に配置された回転をブロックするための少なくとも一つの部材（２２、２３’）がこの同じブシュを受容するためのハウジング（１７、１７’）の内側の壁（２４、２４’）上に配置された相補的な形状を有する部材（２３、２２’）と協働するようになっていることによって前記磁石が前記ブシュの中で固定されるという事実によって行われる請求項２に記載の施錠デバイス。
【請求項４】
前記ブロック用部材がフィンガ（２２）、スタッド又はスライドウェイ（２３’）である請求項３に記載の施錠デバイス。
【請求項５】
ブロック用部材と相補的な形状を有する前記部材が、それぞれスライドウェイ（２３）、フィンガ（２２）又はスタッドである請求項３又は４に記載の施錠デバイス。
【請求項６】
前記ブシュ（２０ｂ、２０ｂ’、２０ｃ）及び前記磁石（１０ｂ、１０ｃ）あるいは少なくとも一つの２極性先端が設けられた磁石（１０ｂ’）が非円形断面を有する請求項２に記載の施錠デバイス。
【請求項７】
少なくとも一つの２極性先端が設けられた磁石（１０ｂ’）あるいは同じブシュ（２０ｂ、２０ｂ’、２０ｃ）の中に把持された極性が反対の前記二つの磁石（１０ｂ1、１０ｂ2、１０ｃ1、１０ｃ2）が、同じ強度かつ反対方向の磁気モーメントを有する請求項１〜６のいずれか一項に記載の施錠デバイス。
【請求項８】
少なくとも一つの２極性先端が設けられた磁石（１０ｂ’）あるいは同じブシュ（２０ｂ、２０ｂ’、２０ｃ）の中に把持された極性が反対の前記二つの磁石（１０ｂ1、１０ｂ2、１０ｃ1、１０ｃ2）が、異なる強度かつ反対方向の磁気モーメントを有する請求項１〜７のいずれか一項に記載の施錠デバイス。
【請求項９】
前記シリンダ（１２）上に配置された前記ブシュ（２０ｂ、２０ｂ’）はハウジング（１５、１７）の中において並進運動が可能であり、一方、前記キー（８）上に配置された前記ブシュ（２０ｃ）はそれらのハウジングの中に固定されている請求項１〜８のいずれか１項に記載の施錠デバイス。
【請求項１０】
少なくとも一つの２極性先端が設けられた磁石（１０ｂ’）又はシリンダ（１２）の各ブシュ（２０ｂ、１０ｂ’）の中に把持された磁石（１０ｂ1、１０ｂ2）の異なる極性の部分（１０ｂ’1、１０ｂ’2）は、同じ強度かつ反対方向の磁気モーメントを有する請求項１〜９のいずれか一項に記載の施錠デバイス。
【請求項１１】
少なくとも一つの２極性先端が設けられた磁石（１０ｂ’）又はシリンダ（１２）の各ブシュ（２０ｂ、１０ｂ’）の中に把持された磁石（１０ｂ1、１０ｂ2）の異なる極性の部分（１０ｂ’1、１０ｂ’2）は、異なる強度かつ反対方向の磁気モーメントを有する請求項１〜１０のいずれか一項に記載の施錠デバイス。
【請求項１２】
前記シリンダ（１２）及び前記キー（８）の前記磁石が異方性である請求項１〜１１のいずれか一項に記載の施錠デバイス。
【請求項１３】
前記シリンダ（１２）及び前記キー（８）の前記磁石が等方性である請求項１〜１２のいずれか一項に記載の施錠デバイス。
【請求項１４】
開口部又はアクセスを閉鎖するための手段であって、請求項１〜１３のいずれか一項に記載の施錠デバイス（１）が設けられている手段。
【発明の詳細な説明】
【技術分野】
【０００１】
この発明は磁気制御式の施錠デバイスに関する。
【０００２】
欧州特許願EP-A-633375には、キーとシリンダとを有する磁気制御式の施錠デバイスが開示されている。このシリンダはステータとロータとを有しており、ロータはキーによってシリンダの長手軸のまわりに回される。シリンダはロータの回転軸に概ね平行な方向に向いた複数の磁石を有している。これらの磁石はキーの一部に対向するように分布する他の磁石と協働する。これらの磁石は強磁性金属から形成されたブシュの中に把持されている。シリンダの中に配置された磁石を有するブシュは、相補的な形状を有するハウジングの内側で並進動作可能になっている。
【０００３】
磁石を保持しているキーの部分がロータの対応する部分の磁石と対向する位置にあるときには、後者は、キー及びシリンダに保持された磁石の極性やそれぞれの位置に応じて、引き付け合ったり、反発したりする。このようにして、キーはシリンダの中に配置されたブシュを対応するハウジングの底部の方へ、あるいはこのハウジングの開口部の方向へ移動させる。こうした移動は、結果的に、ロータのロックを外してその回転を可能にしたり、ブロックしたりする。ロータは、例えば、その回転スピンドル上に取り付けられた偏心器などの部材と協働し、キーパの中のボルトを駆動するスライドブロックを移動させる。
【０００４】
シリンダによって、さらには、キーによって保持されている二つの磁石の磁気軸が合致したとき、互いに対向するそれらの先端が同じ磁極を形成するか反対の磁極を形成するかに応じて、それらは互いに反発したり、引き付け合ったりする。一方、これらの磁石の磁気軸が若干ずれている場合、すなわち、磁石の長手軸が平行及び／又は合致していない場合には、互いに対向するとともに同じ磁極を有する磁石の先端は反発せずに、互いに引き付け合う。これは、磁石が磁束の通路を形成する強磁性のブシュの中に把持されており、ブシュがそれらの壁の部分でブシュの中に把持された磁石の極と接触している領域において、磁石の極と反対の磁極のように振る舞うという事実による。
【０００５】
このようにして、磁石の数、それらの極性及びそれらの相対的な位置を利用することによって、キー及びシリンダの磁石の磁極間における複数の組み合わせを非常に容易に得られる。このように、磁石はそれらの設置に応じて引き付け合ったり反発し合ったりし、一方で、施錠デバイスのコーディングを可能にする。こうしたデバイスでは、シリンダ及びキーの磁石の各先端は、ロータ及びキーの先端部分が隣接しているために、接触させられる。これらの先端部分は平坦な金属部材であり、ロータと対向するようにキーをガイドして位置合わせするための簡単なデバイスを備えている。これは、例えば、一つ又は複数の凹部の中に通される一つ又は複数のスタッドである。
【０００６】
そうしたデバイスの主な困難さの一つは、一般的なあるいは部分的なパスキーによって操作が可能なデバイスの製造を可能にする組み合わせの数が限定されていること、あるいは様々な構造があることにある。
【０００７】
与えられたマトリックスに対してキー及びシリンダの磁石の間における組み合わせの可能性を増やすこと、従って、それぞれに対してユニークなコーディングを維持しつつ動作デバイスの可能な数を増やすことが望まれるときには、そのデバイスに用いられている磁石の数及び磁気モーメントを利用できることが不可欠である。
【０００８】
実際的かつ人間工学的な理由から、より多くの磁石を収容するためにデバイスの寸法、特に、キーの寸法を過度に大きくすることは望ましくない。
【発明の開示】
【０００９】
この発明の主な目的は、磁気制御式の施錠デバイスを提案することによってこうした欠点を克服することである。そのような施錠デバイスは、不可侵性が増強されており、磁石を保持しているブシュの位置合わせが正確で信頼性が高く、また、従来のデバイスよりも組み合わせの数を多くすることが可能なものである。
【００１０】
そのために、この発明は磁気制御式の施錠デバイスを目的としている。このデバイスは、ステータとロータとが設けられたシリンダを有している。ロータはキーによってシリンダの長手軸のまわりに回転するようになっている。キーは強磁性材料から形成されたブシュの中に把持された磁石を備えている。このキーの磁石は、同様に強磁性材料から形成されているブシュの中に把持されているとともに少なくともシリンダの一部の中を摺動するように取り付けられている他の磁石と協働するようになっており、ロータの回転を選択的にロックすることができる。これらの磁石はそれぞれがキー及びシリンダに保持されており、同じ幾何学的分布を有している。キー及びシリンダの中にそれぞれ配置されている少なくとも二つのブシュは、それぞれ互いに反対の極性を有する二つの磁石、あるいは少なくとも一つの２極性先端が設けられた一つの磁石を把持して保持している。
【００１１】
この発明によれば、ブシュ当たり、反対の極性を有する二つの磁石、あるいは少なくとも一つの２極性先端が設けられた一つの磁石が存在することによって、可能な組み合わせの数を増やすことを可能にするようなデバイスが製造される。それらの間で磁石の様々な相対的角度位置を利用することができるため、なおさらそうである。角度位置を保持することによって、シリンダとキーとの磁石の相対的な位置合わせが正確かつ時間的に一定に確保される。ロータによって保持されている磁気ブシュと、キーによって保持されている磁気ブシュとの間の「幾何学的な」レジスタの精度は最適化される。実際、磁石の少しの角度方向あるいは半径方向の移動によって、ロータとキーとの間における磁束の受容量は変化し、磁束の方向が反転することさえある。この角度偏位あるいは半径偏位はシリンダのブシュの変位を防止することさえある。これは、結果として、システムをブロックし、事実上、キーはもはやシリンダの「磁気コード」には対応せず、認定されていない操作の試みからデバイスを保護することになる。
【００１２】
この発明による有利ではあるが強制的ではない側面においては、このデバイスは以下の特徴の一つ又は複数を含んでいる。
−各ブシュは、それが把持している二つの磁石、あるいは少なくとも一つの２極性先端が設けられた一つの磁石を、ブシュの長手軸に対して与えられた角度位置に維持するようになっている。
−磁石がブシュの中で固定されるという事実のために、少なくとも一つの２極性先端が設けられた一つの磁石、あるいは同じブシュの中に把持された二つの磁石の角度位置が維持される。磁石の固定は、ブシュの外側の壁上に配置された回転をブロックするための少なくとも一つの部材が、この同じブシュを受容するハウジングの内側の壁上に配置された相補的な形状の部材と協働することによって行われる。このブロック用部材はフィンガ、スタッドあるいはスライドウェイであることが好ましい。ブロック用部材と相補的な形状の部材は、それぞれ、スライドウェイ、フィンガあるいはスタッドである。
【００１３】
−ブシュ、複数の磁石、あるいは少なくとも一つの２極性先端が設けられた一つの磁石は非円形断面を有している。
−同じブシュの中に把持されている少なくとも一つの２極性先端が設けられた一つの磁石、あるいは反対の極性を有する二つの磁石は、同じ強度で反対方向の磁気モーメントを有している。一つの変形においては、これらの磁気モーメントは強度が異なり方向が反対である。
−シリンダ上に配置されたブシュはハウジングの中で並進運動が可能であり、一方、キー上に配置されたブシュはそれらのハウジングの中で固定されている。
−シリンダの各ブシュの中に把持されている複数の磁石、あるいは少なくとも一つの２極性先端が設けられた一つの磁石の極性の異なる部分は、同じ強度で反対方向の磁気モーメントを有している。一つの変形においては、これらの磁気モーメントは強度が異なり方向が反対である。
−シリンダの磁石及びキーの磁石は異方性である。一つの変形においては、これらは等方性である。
【００１４】
この発明は、また、上述した特徴のうちのいずれか一つに従って形成された施錠デバイスが設けられた開口部あるいはアクセスを閉鎖するための手段に関する。
【００１５】
この発明においては、磁石の相対的な位置合わせの質が確保されている。これはそうした磁石の寸法を考慮すると根本的なことである。そうした構造においては、ブシュとそのハウジングとの間の隙間をなくすこともできる。そうした隙間は、ブシュがそのハウジングの中で回ってしまう危険性を生じるものである。
【００１６】
この発明による施錠デバイスの単に例として与えられている実施の形態に対する以下の説明を読み、添付の図面を参照すれば、この発明は一層容易に理解され、その利点がさらに明らかとなるであろう。
【００１７】
図１に示されているデバイスは、ドアの面３上に設けられた前面２を有している。この前面は金属、例えば、スチールから形成されていて、デバイス１を「押しつける」ために使用される割れ目又は隙間がないようにドア上に取り付けられている。前面２は円形のベースを有するドーム形状をしており、その頂点４は切り取られた形をしている。この頂点４は平坦で滑らかな円形のプレートによって形成されている。その周辺の近傍には直径を挟んで対向する二つのスタッド５が設けられている。これらのスタッド５は寸法の小さい二つの円柱形状を有しており、その長手軸は面３の平面にほぼ直交する方向を向いている。それらはキー８の平面７上に配置された凹部６の中に挿入されるような形状を有している。この平面７は硬くて滑らかであり、その形状及び寸法は頂点４のそれと相補的な形になっている。スタッド５を凹部６の中に挿入することによってキーをデバイスのプレート４上に設置することができる。
【００１８】
接触している領域４及び７は、キー８の先端の外側表面及びロータ９の外側表面に相当する。このようにして、ドアの中に固定されたデバイス１の一部と操作を確かなものにするキーの一部との間の接触及び協働は、二つの滑らかで平坦な面４及び７を重ね合わせることによって行われる。これらの面４及び７の背後には磁石１０ｂ及び１０ｃが配置されている。バーの形を有するこれらの磁石１０ｂ及び１０ｃは、それらの磁気軸が頂点４の中心軸ＣＣ’に概ね平行な方向を向いている。平面４に隣接するものと、平面７に隣接するものの両方とも、それらの磁極の一方がこれらの平面の一方と接触するように配置されている。磁石１０ｂ及び１０ｃは、ロータ９及びキー８の中に同じような幾何学的配置で分布されており、従って、ロータ９の中に配置された磁石１０ｂの磁極は、キー８の中に収容された磁石１０ｃの相補的な一つの磁極に対してのみ作用することができる。
【００１９】
キー８の本体は、図２からわかるように、そのベースの直径に比べて長さが短いシリンダ形状をしている。このベースは、凹部６を有するキーの平面７によって形成されている。この平面７に対向する先端は、図２に示されているように、パレット１１の形をしたキーを把持するための手段を有している。
【００２０】
施錠デバイス１は、特に、中空の円筒形状のシリンダ１２を有している。シリンダ１２はステータ１４を収容している。ステータ１４には同じ円形ベースを有する多数の管状ハウジング１５が設けられている。ステータ１４はプレート４から離れたシリンダの領域に配置されている。このようにして、ステータ１４はドアの中に設置されたシリンダ１２のその部分の中に設置されている。ハウジング１５は、ロータ９と接触するステータ１４の平面１６と同一面をなす開口先端を有している。ロータはステータ１４のそれと同じ円筒形状を有している。それには、また、ステータのハウジング１５と同じ形状及び寸法を有する一連のハウジング１７が設けられている。ハウジング１７はロータの中に形成されており、ロータ９の長さ全体にわたって、ステータ１４のハウジング１５へと延びている。それらは二つの先端で開口している。
【００２１】
回転スピンドル１８が、シリンダ１２の長手軸及び中心軸ＡＡ’と概ね合致する方向に配置されている。このスピンドル１８はロータ９に固定されており、ステータ１４の長さ方向にわたって形成された貫通オリフィスの中に回転自在に取り付けられている。ロータの外側の壁上に設置されたＯリング２６がシールを形成している。ロータにはいわゆる「アンチボーリング」デバイス（図示されていない）も設けられている。
【００２２】
ハウジング１５の各々は、ステータ１４の中に位置するそれらの閉じた先端の部分にリターンスプリング１９を有している。これらのハウジング１５はブシュ２０ｂを収容している。ブシュ２０ｂの各々の中には二つの磁石１０ｂ1及び１０ｂ2が挿入されており、例えば、接着によって固定されている。これらのブシュの中心長手軸ＢＢ’はシリンダの軸ＡＡ’と概ね平行である。図７に示されているように、ブシュ２０ｂには、それらの壁の半径方向外側の表面２１上において、フィンガ２２が設けられている。フィンガは、ハウジング１７の壁の内側表面２４に形成されている相補的な形状を有する溝２３の中に挿入されるようになっている。溝２３はフィンガ２２に対するスライドウェイを形成している。この溝２３はハウジング１７の長さ全体にわたって形成されており、軸ＢＢ’に概ね平行な方向を向いている。
【００２３】
図８に示されている一つの変形、すなわち、キー８の中に取り付けられるとともに二つの磁石１０ｃ1及び１０ｃ2を把持しているブシュ２０ｃに関する変形においては、フィンガ２２’はキー８の中に形成されたハウジング１７’の内側表面２４’に設けられている。この構造においては、相補的な溝２３’を有しているのはブシュ１０ｃの壁の外側表面２１’である。
【００２４】
実際、図７及び図８はそれぞれブシュ２０ｂ及び２０ｃに関するものである。
図８に示されているブシュ２０ｃについては、溝２３’はフィンガ２２’の回転をブロックするのみであり、ブシュ２０ｃに対するスライドウェイを形成する機能を有していない。ブシュ２０ｃはそれらのハウジング１７’の中に固定される。
【００２５】
二つの磁石１０ｂ1及び１０ｂ2は各ブッシュ２０ｂの中に把持されている。これらの磁石は反対の極性を有し、好ましくは、異方性、すなわち、好ましい方向にのみ磁化が可能な磁石である。図９の上側に図示されているように、これら二つの磁石１０ｂ1及び１０ｂ2は二つの同じ寸法の半円柱形状をしている。図３、図４、図７、図８、図９Ａ及び図９の下側からわかるように、同じブシュ２０ｂの中には、断面が３／４の円盤である一つの磁石１０ｂ2と、１／４の円盤である別の磁石１０ｂ1とを設けることもできる。これら二つの構造は同じ施錠デバイス１において、同時に、任意の比率及び分布で用いることができる。
【００２６】
同じように、ブシュ２０ｃは二つの同じ半円柱形状を有する二つの磁石１０ｃ1及び１０ｃ2、すなわち、断面が３／４の円盤である磁石１０ｃ2と、１／４の円盤であるもう一つの磁石１０ｃ1とを有している。
【００２７】
フィンガ２２及び溝２３によって、ハウジング内においてブシュ１０ｂが正確に位置合わせされるため、ロータ９の磁石１０ｂ1及び１０ｂ2と、キー８の磁石１０ｃ1及び１０ｃ2とを図９に示された様々な配置のうちの一つに「組み合わせる」ことができる。図９Ａに示されているように、単一の磁石１０ｂ’をシリンダのブシュ２０ｂ’の中に固定することもできる。この磁石１０ｂ’は少なくとも前面２の方を向いたその先端においては２極性になっている。同様に、一方の面が２極性になっている磁石をキー８のブシュ１０ｃの中に設けることもできる。図９Ａに示されている磁石１０ｂ’の先端における反対の極性を有する二つの領域１０ｂ’1及び１０ｂ’2は、磁石１０ｂ1及び１０ｂ2について上記のように意図したものと同じ役割を果たす。
【００２８】
図１０に示されている別の実施の形態においては、磁石１０ｂ1及び１０ｂ2又は磁石１０ｃ1及び１０ｃ2は二つの同心状の円筒形状を有している。中空である一方は、中心磁石を形成する中身の詰まった磁石とは反対の極性を有する周辺磁石を形成している。この場合には、磁石を角度方向に位置合わせするための手段は不要である。
【００２９】
図１１に示されている別の実施の形態においては、ブシュ１０ｂ及び１０ｃは非円形断面を有している。この断面は、例えば、長方形、三角形、多角形又は楕円形である。こうしたブシュの形状においては、それらのブシュをそれぞれのハウジングの中に設置したときの回転をブロックするための手段はもはや必要とされない。
【００３０】
磁石１０ｂ1、１０ｂ2、１０ｃ1及び１０ｃ2はそれらのアライメント、それらの角度位置あるいはそれらの極性に応じて反発力及び引力を発生する。図３Ａに示されているレスト位置においては、ハウジング１５の閉じた端部の中に配置されているリターンスプリング１９がピストン２５を押していて、このピストン２５がロータ９の磁石１０ｂ1及び１０ｂ2をハウジング１７の開口部の方へ移動させる。
【００３１】
このピストン２５は、ハウジング１５内において、スプリング１９とブシュ２０ｂとの間に配置されている。ピストン２５の長さは、与えられたハウジング１５の中に挿入されたスプリング１９の戻り力に合わされている。
実際、これらのピストン２５はハウジング１７の中に配置されたブシュ２０ｂを移動させ、前記ブシュが、ストロークの最後において、デバイス１の面４と接触する。この構造においては、ピストン２５は部分的にロータ９のハウジング１７の中に位置し、部分的にステータ１４のハウジング１５の中に位置している。そのときには、それらはロータ９の回転をブロックしている。
【００３２】
図３及び図４に示されているように、あるハウジング１５にはスプリング１９が収容されていない。その場合には、ピストン２５はハウジング１７の中をその延長部として配置されているハウジング１５の方へ移動するブシュ２０ｂの運動に対する並進当接部材を形成している。ブシュ２０ｂの移動は、ブシュ２０ｂの中に固定されている磁石１０ｂ1又は１０ｂ2の磁極がピストンの金属端部によって引き付けられることによって引き起こされる。ピストン２５の長さは、ブシュ２０ｂがピストン２５に当接したときに、それがステータ１４とロータ９との間の接合領域に跨るようなものになっている。
【００３３】
この位置において、ピストン２５及び／又はブシュ２０ｂによって、ロータ９の回転をブロックすることが可能になる。こうして、デバイスは施錠されたままになる。
スタッド５を凹部６の中へ注意しながら挿入して、キー８をプレート４に対向させるとき、プレート４及び面７のどちらかのサイドに配置されたロータ９及びキー８の磁石１０ｂ1、１０ｂ2、１０ｃ1及び１０ｃ2の間にはレジスタが存在する。図４及び図４Ａに示されているように、キー８の磁石１０ｃ1及び１０ｃ2は、それらの極性に応じて、ブシュ２０ｂの中に設置された磁石１０ｂ1及び１０ｂ2に対して反発したり、引き付け合ったりする。このようにして、ピストン２５はステータ１４とロータ９との間の接合領域から外れる。その場合、ブシュ２０ｂによってハウジング１５の底部の方向へ押し戻されるピストン２５の作用によって、スプリング１９が圧縮されることによって解錠される。
【００３４】
スプリング１９を有していないハウジング１５と対向するようにブシュ２０ｂが配置されている第２の場合には、これらのブシュ２０ｂはキー８の磁石１０ｃ1及び１０ｃ2によってプレート４の方向へ引き付けられ、ロータ９のハウジング１７の中に全体が収容される。
こうして、ロータ９は回転がブロックされず、キー８によってロータ９へ加えられるこの動きによって、スピンドル１８、従って、キーパとドアのボルトとの連結システムを回転させて、後者を開けることが可能となる。
【００３５】
こうしたデバイスにおいては、磁石の角度位置及び／又は磁気モーメントの強度を利用したり、ピストン２５及びスプリング１９の長さを利用することによって、組み合わせの数を増やすことが容易である。
【００３６】
例えば、面４及び７の各々が約１５mmの直径を有するシリンダ１２及びキー８に対しては、３mmの同じ直径を有する六つのブシュ２０ｂ、２０ｂ’及び２０ｃを幾何学的に分布させることが考えられる。各ブシュ２０ｂ、２０ｂ’及び２０ｃの磁気モーメントの強度や角度位置を利用することによって、ロータ９の磁石１０ｂ1、１０ｂ2、１０ｂ’1及び１０ｂ’2及びキー８の磁石１０ｃ1及び１０ｃ2の極性の組み合わせは２，０００万以上が可能である。
【００３７】
これまで、すべてのブシュが二つの磁石を把持して保持するような実施の形態を参照してこの発明を説明してきた。実際にはいくつかのブシュのみが二つの磁石を把持して保持するだけでもよい。
別の構造においては、磁石はブシュ２０ｂ、２０ｂ’又は２０ｃの内部容積全体を占めているわけではない。残りの容積には磁性あるいは強磁性の材料が充填可能である。
別の実施の形態においては、ロータの移動はシリンダの長手軸ＡＡ’のまわりの回転によって行われるのではなく、軸ＡＡ’に概ね直交する方向の並進運動によって行われる。
【図面の簡単な説明】
【００３８】
【図１】この発明による施錠デバイスの斜視図であり、部分的に図示されたドアの中にシリンダが設置されており、キーがデバイスの中に係合されようとするところを示す図である。
【図２】キーの斜視図である。
【図３】シリンダの一部の部分切り欠き斜視図であり、ロータがロックされた状態を示す図である。
【図３Ａ】デバイスの面ＩＩＩＡに沿った部分拡大断面図であり、キーのない施錠状態を示す図である。
【図４】図３と類似した図であり、ロータがロック解除された状態を示す図である。
【図４Ａ】デバイスの面ＩＩＩＡに沿った部分拡大断面図であり、キーが設置されて解錠された状態を示す図である。
【図５】キー及びロータの中にそれぞれ配置されているブシュに設けられている磁石の間に生じる引力及び反発力を示す略図であり、それぞれの磁気軸が揃っている場合を示す図である。
【図６】キー及びロータの中にそれぞれ配置されているブシュに設けられている磁石の間に生じる引力及び反発力を示す略図であり、それぞれの磁気軸が揃っていない場合を示す図である。
【図７】ハウジングの中におけるブシュの回転をブロックする実施の形態を示す部分斜視図である。
【図８】ハウジングの中におけるブシュの回転をブロックする別の実施の形態を示す部分斜視図である。
【図９】シリンダの磁石に対して考えられる様々な幾何学的分布の略図であり、キーにも置き換えが可能な分布を示す図である。
【図９Ａ】図９の一部と類似した図であり、先端が２極性である単一の磁石を備えたブシュを示す図である。
【図１０】ブシュの中へ挿入された反対の極性を有する二つの磁石の別のタイプを示す略図である。
【図１１】ブシュに対して可能な他の幾何学的形状を示す略図である。
【図１】
2006514185.tif 000003
【図２】
2006514185.tif 000004
【図３】
2006514185.tif 000005
【図４】
2006514185.tif 000006
2006514185.tif 000007
2006514185.tif 000008
【図５】
2006514185.tif 000009
【図６】
2006514185.tif 000010
【図７】
2006514185.tif 000011
【図８】
2006514185.tif 000012
【図９】
2006514185.tif 000013
【図１０】
2006514185.tif 000014
【図１１】
2006514185.tif 000015
【手続補正書】
【提出日】平成16年7月12日(2004.7.12)
【手続補正１】
【補正対象書類名】特許請求の範囲
【補正対象項目名】全文
【補正方法】変更
【補正の内容】
【特許請求の範囲】
【請求項１】
磁気制御式の施錠デバイス（１）であって、
キー（８）と組み合わされるシリンダ（１２）を有し、シリンダ（１２）にはステータ（１４）及びロータ（９）が設けられ、前記ロータはキー（８）によってシリンダの長手軸（ＡＡ’）のまわりに回されるようになっており、キー（８）には強磁性材料から形成されたブシュ（２０ｃ）の中に把持された磁石（１０ｃ）が設けられており、磁石（１０ｃ）は強磁性材料から形成されるとともに前記シリンダ（１２）の少なくとも一部の中を摺動するように取り付けられたブシュ（２０ｂ、２０ｂ’）の中に同様に把持された他の磁石（１０ｂ、１０ｂ’）と協働して、前記ロータ（９）の回転を選択的にロックできるようになっており、前記キー（８）及び前記シリンダ（１２）によってそれぞれ保持されたこれらの磁石（１０ｃ、１０ｂ、１０ｂ’）は同じ幾何学的分布を有しており、
前記キー（８）及び前記シリンダ（１２）の中にそれぞれ配置された少なくとも二つのブシュ（２０ｃ、２０ｂ、２０ｂ’）の各々が、互いに反対の極性（Ｎ−Ｓ）を有する二つの磁石（１０ｃ1、１０ｃ2、１０ｂ1、１０ｂ2）あるいは少なくとも一つの２極性先端が設けられた一つの磁石（１０ｂ’）を把持して保持しており、磁石は前記ブシュの長手軸（ＢＢ’）に対して所定の角度位置に維持されるようになっている施錠デバイス。
【請求項２】
少なくとも一つの２極性先端が設けられた磁石（１０ｂ’）あるいは同じブシュ（２０ｂ、２０ｂ’、２０ｃ）の中に把持された二つの磁石（１０ｂ1、１０ｂ2、１０ｃ1、１０ｃ2）の角度位置の維持は、前記ブシュ（２０ｂ、２０ｂ’、２０ｃ）の外側の壁（２１、２１’）上に配置された回転をブロックするための少なくとも一つの部材（２２、２３’）がこの同じブシュを受容するためのハウジング（１７、１７’）の内側の壁（２４、２４’）上に配置された相補的な形状を有する部材（２３、２２’）と協働するようになっていることによって前記磁石が前記ブシュの中で固定されるという事実によって行われる請求項１に記載の施錠デバイス。
【請求項３】
前記ブロック用部材がフィンガ（２２）、スタッド又はスライドウェイ（２３’）である請求項２に記載の施錠デバイス。
【請求項４】
ブロック用部材と相補的な形状を有する前記部材が、それぞれスライドウェイ（２３）、フィンガ（２２）又はスタッドである請求項２又は３に記載の施錠デバイス。
【請求項５】
前記ブシュ（２０ｂ、２０ｂ’、２０ｃ）及び前記磁石（１０ｂ、１０ｃ）あるいは少なくとも一つの２極性先端が設けられた磁石（１０ｂ’）が非円形断面を有する請求項１に記載の施錠デバイス。
【請求項６】
少なくとも一つの２極性先端が設けられた磁石（１０ｂ’）あるいは同じブシュ（２０ｂ、２０ｂ’、２０ｃ）の中に把持された極性が反対の前記二つの磁石（１０ｂ1、１０ｂ2、１０ｃ1、１０ｃ2）が、同じ強度かつ反対方向の磁気モーメントを有する請求項１〜５のいずれか一項に記載の施錠デバイス。
【請求項７】
少なくとも一つの２極性先端が設けられた磁石（１０ｂ’）あるいは同じブシュ（２０ｂ、２０ｂ’、２０ｃ）の中に把持された極性が反対の前記二つの磁石（１０ｂ1、１０ｂ2、１０ｃ1、１０ｃ2）が、異なる強度かつ反対方向の磁気モーメントを有する請求項１〜６のいずれか一項に記載の施錠デバイス。
【請求項８】
前記シリンダ（１２）上に配置された前記ブシュ（２０ｂ、２０ｂ’）はハウジング（１５、１７）の中において並進運動が可能であり、一方、前記キー（８）上に配置された前記ブシュ（２０ｃ）はそれらのハウジングの中に固定されている請求項１〜７のいずれか１項に記載の施錠デバイス。
【請求項９】
少なくとも一つの２極性先端が設けられた磁石（１０ｂ’）又はシリンダ（１２）の各ブシュ（２０ｂ、１０ｂ’）の中に把持された磁石（１０ｂ1、１０ｂ2）の異なる極性の部分（１０ｂ’1、１０ｂ’2）は、同じ強度かつ反対方向の磁気モーメントを有する請求項１〜８のいずれか一項に記載の施錠デバイス。
【請求項１０】
少なくとも一つの２極性先端が設けられた磁石（１０ｂ’）又はシリンダ（１２）の各ブシュ（２０ｂ、１０ｂ’）の中に把持された磁石（１０ｂ1、１０ｂ2）の異なる極性の部分（１０ｂ’1、１０ｂ’2）は、異なる強度かつ反対方向の磁気モーメントを有する請求項１〜９のいずれか一項に記載の施錠デバイス。
【請求項１１】
前記シリンダ（１２）及び前記キー（８）の前記磁石が異方性である請求項１〜１０のいずれか一項に記載の施錠デバイス。
【請求項１２】
前記シリンダ（１２）及び前記キー（８）の前記磁石が等方性である請求項１〜１２のいずれか一項に記載の施錠デバイス。
【請求項１３】
開口部又はアクセスを閉鎖するための手段であって、請求項１〜１２のいずれか一項に記載の施錠デバイス（１）が設けられるとともに組み合わせられたキー（８）が設けられている手段。
【国際調査報告】
2006514185.tif 000016
2006514185.tif 000017
2006514185.tif 000018
2006514185.tif 000019
2006514185.tif 000020
2006514185.tif 000021